(57)【特許請求の範囲】
【請求項１】
他の医療器具に接続することによって、内部に貯留した薬剤を注入する医療器具に使用される長尺状の医療用表示ラベルであって、
前記長尺状の医療用表示ラベルの短手方向に複数の区分に切り離すための切り取り線を有し、通液確認の文字が記載された区分と、接続可能の表記がされ、前記医療器具に取り付けるための領域を有する区分と、を備えた表示シートと、
前記表示シートの裏面に設けられた粘着層と、
前記粘着層に対して剥離性を有する剥離シートと、
を備えた医療用表示ラベル。
【請求項２】
前記通液確認の文字が記載された区分を複数有し、この複数の区分に対し、異なる彩色が施されている
請求項１に記載の医療用表示ラベル。
【請求項３】
前記通液確認の文字が記載された複数の区分には、他の区分と異なる数字が記載されている
請求項２に記載の医療用表示ラベル。
【請求項４】
他の医療器具に接続することによって、内部に貯留した薬剤を注入する医療器具であって、
長尺状であって、短手方向に複数の区分に切り離すための切り取り線を有し、通液確認の文字が記載された区分と、接続可能の表記がされ、前記医療器具に取り付けるための領域を有する区分と、備えた表示シートと、前記表示シートの裏面に設けられた粘着層と、前記粘着層に対して剥離性を有する剥離シートと、を備えた
医療用表示ラベルを有する医療器具。
【請求項５】
前記医療器具は、前記他の医療器具に接続するためのコネクターを有するものであって、前記医療用表示ラベルは、前記コネクターの近傍に取り付けられている
請求項４に記載の医療用表示ラベルを有する医療器具。
【発明の詳細な説明】
【技術分野】
【０００１】
本発明は、医療用表示ラベル及び医療用表示ラベルが使用される医療器具であって、特に、他の医療器具に接続して内部に貯留した薬剤を注入する処方を行う医療器具に関する。
【背景技術】
【０００２】
従来、カテーテルなどの他の医療器具に接続して、内部に貯留した薬剤（薬液）を持続的に注入する医療器具が知られている（特許文献１）。
このような医療器具を使用する場合には、医療従業者が、薬剤の貯留部に連結している接続部から薬剤が出ていることを確認する作業をした後に、接続部を他の医療器具に接続するのが一般的である。
【０００３】
【特許文献１】特開２００５−２８８１５８号公報
【発明の開示】
【発明が解決しようとする課題】
【０００４】
しかしながら、医療従業者が上記の確認作業を終えた後に、チューブやフィルタなどに薬剤が詰まり、接続部から薬剤が出てこなくなる場合がある。また、医療従業者の勘違いなどにより、接続部から薬剤が出ていない状態であるにも関わらず、薬剤が出ていると認識されてしまう場合がある。このような状態で、接続部を他の医療器具に接続してしまうと、薬剤が他の医療器具に注入されないという不具合が発生する。
【０００５】
本発明は、このような状況を考慮してなされたものであり、他の医療器具に接続して内部に貯留された薬剤を注入する医療器具を使用する際に、医療従業者に対して注意を喚起し、薬剤を他の医療器具へ注入する処方が確実に行われることを目的とする。
【課題を解決するための手段】
【０００６】
本発明の医療用表示ラベルは、複数の区分に切り離すための切り取り線を有し、区分ごとに医療器具の使用方法に関する情報が記載された表示シートと、表示シートの裏面に設けられた粘着層と、粘着層に対して剥離性を有する剥離シートを備えている。
【０００７】
本発明の医療用表示ラベルを有する医療器具は、複数の区分に切り離すための切り取り線を有し、区分ごとに医療器具の使用方法に関する情報が記載された表示シートと、表示シートの裏面に設けられた粘着層と、粘着層に対して剥離性を有する剥離シートを備えた医療用表示ラベルを有している。
【発明の効果】
【０００８】
本発明の医療用表示ラベル及び医療用表示ラベルを有する医療器具によれば、内部に貯留した薬剤を他の医療器具へ注入する処方を確実に行うことができる。
【図面の簡単な説明】
【０００９】
【図１】図１Ａは、本実施の形態における医療用表示ラベルの正面図である。図１Ｂは、本実施の形態における医療用表示ラベルの裏面図である。
【図２】本実施の形態における医療用表示ラベルが取り付けられた医療器具の全体図である。
【図３】本実施の形態における医療用表示ラベルの使用方法を説明する図である。
【図４】本実施の形態における医療用表示ラベルの使用方法を説明する図である。
【発明を実施するための形態】
【００１０】
以下、本発明の医療用表示ラベル１及び医療用表示ラベル１を用いた医療器具１０を実施するための形態について、図面を参照して説明する。なお、各図において共通の部材には、同一の符号を付している。
図１Ａは、本実施の形態における医療用表示ラベル１の正面図であり、図１Ｂは、本実施の形態における医療用表示ラベル１の裏面図である。
【００１１】
図１に示すように、本実施の形態の医療用表示ラベル１（以下、単にラベルと言う。）は、医療器具の使用方法に関する情報が記載された表示シート２と、表示シートの裏面に設けられた粘着層６と、粘着層に貼り付けられた剥離シート７とで構成されている。
【００１２】
図１Ａに示すように、ラベル１の表面は、表示シート２により構成されている。表示シート２は、矩形状に形成されており、本実施の形態の表示シート２の大きさは、縦が約１ｃｍ、横が約１１ｃｍである。なお、表示シートの形状や大きさは、ラベルが取り付けられる医療器具の大きさに応じて適宜変更する。表示シート２の材質は、特に限定されず、紙、合成紙、ポリエチレンテレフタレートなどのポリエステル系、ポリプロピレンなどのポリオレフィン系、ポリスチレン系、ポリアミド系などの公知の合成樹脂製延伸フィルム、発泡樹脂シート、不織布、和紙などの１層、又はこれら２層以上の積層体などを用いることができる。
【００１３】
表示シート２には、表示シート２の一部を切り離すための切り取り線としてのミシン目線３が形成されている。本実施の形態のミシン目線３は、縦方向に２カ所形成されている。これにより、表示シート２は、２回に分けて切り離すことができる。なお、本実施の形態では、ミシン目線を２カ所に形成したが、必要に応じて３カ所に形成してもよいし、１カ所のみに形成するだけでもよい。
【００１４】
表示シート２は、２カ所のミシン目線３によって、３つのシート領域２ａ、２ｂ、２ｃに区分されている。シート領域２ａは、赤色の色彩が施され、“通液確認１”の文字が白字で記載されている。シート領域２ｂは、黄色の色彩が施され、“通液確認２”の文字が黒字で記載されている。シート領域２ｃは、緑色の色彩が施され、“接続ＯＫ”の文字が白字で記載されるとともに、良好の意味を表すシンボルマークが記載されている。なお、色彩や文字の内容は、本実施の形態のものに限られず、必要に応じて適宜変更することができる。
【００１５】
シート領域２ｃには、医療器具にラベル１を取り付けるための取付領域４が形成されている。取付領域４は、ミシン目線３が設けられている側と反対側の領域に形成されており、医療器具に取り付けた際に、領域２ｃの記載内容が見えなくならない程度の大きさで形成されている。
【００１６】
図１Ｂに示すように、ラベル１の裏面は、剥離シート７により構成されている。
剥離シート７は、表示シート２の裏面に設けられた粘着層６を介して、表示シート２に貼り付けられている。剥離シート７は、粘着層６に対して剥離性を有する材料で構成されている。剥離シートとしては、例えば、上質紙、再生紙、クラフト紙、ロール紙、グラシン紙などが使用される。また、粘着層を形成するための粘着剤としては、アクリル系粘着剤、ウレタン系粘着剤、ゴム系粘着剤等が使用される。
【００１７】
剥離シート７は、表示シート２の形状、大きさに合わせて形成されている。剥離シート７は、表示シート２のミシン目線３に対応する位置に設けられた切り込み線８によって、３つのシート領域７ａ、７ｂ、７ｃに区分されている。また、シート領域７ａ、７ｂ、７ｃには、予め、領域７ａ、７ｂ、７ｃの一部を粘着層６から剥離して形成した引きはがし部９が設けられている。これにより、医療従業者は、引きはがし部９を引っ張ることで、剥離シート７を粘着層６から剥離させることができる。
【００１８】
図２は、本発明の医療用表示ラベル１が取り付けられた医療器具の全体図である。
本実施の形態では、医療器具として、バルーンの収縮力を利用した薬剤注入具１０を使用する。
【００１９】
薬剤注入具１０は、薬剤を内部に貯留する貯留部１９と、他の医療器具と接続して貯留部１９に貯留した薬剤を持続的に注入するコネクター１１と、貯留部１９とコネクター１１を連結するチューブ１２を備えている。
【００２０】
貯留部１９は、ハードケース１３と、ハードケース１３の中に設けられたバルーン１４を有している。バルーン１４は、薬液充填口１８から充填された薬剤を内部に貯留して、伸縮力によって薬剤を搬送する。薬剤は、チューブ１２を通ってコネクター１１に搬送される。なお、チューブ１２には、薬剤中に含まれる空気を抜くためのフィルター１５が設けられている。
【００２１】
コネクター１１は、搬送されてきた薬剤を他の医療器具に注入するオスルアー１６と、フィルターなどを用いて薬剤の注入量を調整する流量制御部１７を備えている。また、薬剤充填口１８とオスルアー１６には、それぞれ汚染防止キャップ２０とオスルアーキャップ２１が設けられている。なお、コネクター１１が接続される他の医療器具としては、例えば、患者に留置してあるカテーテル、ヒューバー針や留置針などの翼状針がある。
【００２２】
ラベル１は、コネクター１１に取り付けられている。このように、薬剤を注入するオスルアー１６の近傍に設けることで、オスルアー１６から薬剤がでているかどうかの注意を喚起することができる。なお、本実施の形態では、ラベル１をコネクター１１に取り付けたが、チューブ１２に取り付けるようにしてもよい。
【００２３】
次に、本実施の形態の医療用表示ラベル１の使用方法について、図３を用いて説明する。
図３は、本実施の形態における医療用表示ラベルの使用方法を説明する図である。
ここでは、便宜上、医療従業者を、薬剤部従業者と看護部従業者に大別して説明する。薬剤部従業者とは、主に薬剤注入具１０に薬剤を注入する者であり、看護部従業者とは、薬剤注入具１０を他の医療器具に接続する者をいう。
【００２４】
まず、薬剤部従業者が、薬剤を薬剤充填口１８からバルーン１４に充填し、充填が終了すると汚染防止キャップ２０を閉める。次に、オスルアーキャップ２１を取り外し、薬剤がオスルアー１６の先端から出てくるかどうかの確認作業を行う。薬剤が出てくることが確認できた場合には、オスルアーキャップ２１を閉めるとともに、ラベル１のシート領域２ａ部分をミシン目線３に沿って切り離す。次に、切り離したシート領域２ａの裏側にあるシート領域７ａを剥がして、医療カルテ等に切り離したシート領域２ａを貼り付ける。これらの作業を行うことにより、薬剤部従業者が、オスルアー１６から薬剤が出ていない状態であるにも関わらず、薬剤が出ていると誤認することを予防できる。
【００２５】
看護部従業者は、薬剤部従業者から引き渡された薬剤注入具１０を他の医療器具に接続する際に、オスルアーキャップ２１を取り外し、薬剤がオスルアー１６の先端から出てくるか確認作業を行う。なお、薬剤部従業者から看護部従業者に引き渡された時点の薬剤注入具１０に取り付けられたラベル１の状態は、図３Ａに示すように、シート領域２ａが切り離され、シート領域２ｂ、２ｃが残された状態である。この状態を確認することにより、看護部従業者は、薬剤部従業者がオスルアー１６から薬剤がでていることの確認作業を行ったことを認識することができる。
【００２６】
なお、上述したように、シート領域２ａ及びシート領域２ｂには、使用方法に関する同一の情報（“通液確認”）と、他の領域と異なる数字（“１”、“２”）が記載されている。これにより、医療従業者は、自分が行う作業内容と、自分の行う作業の順番を確認することができる。
【００２７】
看護部従業者は、オスルアー１６の先端から薬剤が出てくることが確認できた場合には、オスルアー１６を他の医療器具の接続部に接続するとともに、ラベル１のシート領域２ｂ部分をミシン目線３に沿って切り離す。薬剤が出てくることが確認できた場合には、オスルアー１６を他の医療器具の接続部に接続する。そして、切り離したシート領域２ｂの裏側にあるシート領域７ｂを剥がして、医療カルテ等に切り離したシート領域２ｂを貼り付ける。これらの作業を行うことにより、看護部従業者が、チューブ内で薬剤が詰まりオスルアー１６から薬剤が出ない状態であるにも関わらず、オスルアー１６から薬剤が出ると誤認してしまうことを防ぐことができる。
【００２８】
看護部従業者が、オスルアー１６の先端から薬剤がでてくることの確認作業を終え、オスルアー１６が他の医療器具に接続された状態におけるラベル１の状態は、図３Ｂに示すように、シート領域２ａ、２ｂが切り取られ、シート領域２ｃのみが残された状態である。すなわち、患者を診断する医師や看護婦などの医療従業者は、薬剤部従業者と看護部従業者による確認作業が終了した上で、薬剤注入具１０が接続されていることを一目で判断することができる。
【００２９】
図４は、確認作業を終えた薬剤部従業者によって貼り付けられたシート領域２ａと、確認作業をおけた看護部従業者によって貼り付けられたシート領域２ｂが貼り付けられたカルテ３０を示す。
図４に示すように、シート領域２ａ及びシート領域２ｂは、カルテ３０の予め決められた場所に貼り付けられる。カルテ３０を見た医師などの医療従業者は、薬剤部従業者と看護部従業者によって、オスルアー１６から薬剤がでていることについての確認作業が行われたことを一目で判断することができる。
【００３０】
以上、説明したように、本実施形態の医療用表示ラベル１及び医療用表示ラベル１を有する薬剤注入具１０によれば、内部に貯留した薬剤を他の医療器具へ注入する処方を確実に行うことができる。
【００３１】
なお、本発明の医療用表示ラベル及び医療用表示ラベルを有する医療器具は、上述の形態に限定されるものではなく、ラベルの形状、ラベルの記載内容、その他材料、構成等において本発明の構成を逸脱しない範囲において種々の変形、変更が可能であることはいうまでもない。また、本実施の形態の医療器具は、バルーンの収縮力を利用して薬剤を搬送するものを用いたが、電動で薬剤を搬送するシリンジポンプや、ハウジング内のばねでガスケットを摺動させて薬剤を搬送する薬液ポンプなどを使用してもよい。
【符号の説明】
【００３２】
１・・・医療用表示ラベル、２・・・表示シート２ａ、２ｂ、２ｃ・・・表示シート領域、３・・・ミシン目線、４・・・取付領域、６・・・粘着層、７・・・剥離シート、７ａ、７ｂ、７ｃ・・・剥離シート領域、８・・・切り込み線、９・・・引きはがし部  、１０・・・薬剤注入具、１１・・・コネクター、１２・・・チューブ、１３・・・ハードケース、１４・・・バルーン、１６・・・オスルアー、１７・・・流量制御部、１９・・・貯留部、２０・・・汚染防止キャップ、２１・・・オスルアーキャップ、３０・・・カルテ
【図１】
0005995458.tif 000002
【図２】
0005995458.tif 000003
【図３】
0005995458.tif 000004
【図４】
0005995458.tif 000005